(57)【特許請求の範囲】
【請求項１】
床面等の設置面に設置された状態で、はかり本体に設けられた踏み台に測定者が載ることにより、前記はかり本体から下方側に突出した複数の脚部夫々に設けられた体重センサーがその踏み台にかかる荷重を検出して測定者の体重を測定する体重計であって、
前記脚部は、前記踏み台の左後部の下方側に配置された第１の脚部と、前記踏み台の右後部の下方側に設置された第２の脚部と、前記踏み台の左前部の下方側に配置された第３の脚部と、前記踏み台の右前部の下方側に設置された第４の脚部とを備え、
これらの脚部は、夫々、前記体重センサーの下方側に、前記設置面に当接する設置面当接部を備え、
前記第１の脚部の設置面当接部は、前記踏み台の左右中央線からの距離が、前記第３の脚部の設置面当接部の前記左右中央線からの距離よりも短くなるように構成され、
前記第２の脚部の設置面当接部は、前記左右中央線からの距離が、前記第４の脚部の設置面当接部の前記左右中央線からの距離よりも短くなるように構成され、
前記踏み台の上面には、第１の脚部の設置面当接部のほぼ上方位置に、測定者の左足の踵部を載せる位置が明示された左足踵載置用明示部と、第２の脚部の設置面当接部のほぼ上方位置に、測定者の右足の踵部を載せる位置が明示された右足踵載置用明示部とが、夫々、設けられ、
前記踏み台の上面における前部側の略左右中央部には、前記踏み台の上面から上方に突出し足の先部が載せられるのを防止する足先載置防止部が設けられ、
前記足先載置防止部は、その後端側の左右方向の幅が、前記左足踵載置用明示部と前記右足踵載置用明示部との互いの距離と略同じに形成されているとともに、その後端から前方に行くに従って漸次大きくなるように構成されていることを特徴とする体重計。
【請求項２】
前記左足踵載置用明示部と右足踵載置用明示部とは、前記踏み台の上面から凹まされたものであり、
前記踏み台の上面における前部側の略左右中央部には、前記踏み台の上面から上方に突出し足の先部が載せられるのを防止する足先載置防止部が設けられ、
前記第３の設置面当接部は、前記足先載置防止部の左側に、前記第４の設置面当接部は、前記足先載置防止部の右側に、夫々、配置されていることを特徴とする請求項１記載の体重計。
【請求項３】
前記第１〜第４の脚部は、夫々、前記体重センサーを下方側から受ける受部を有するセンサ受部材を、更に備え、
前記設置面当接部は、前記センサ受部材の下面側に設けられていることを特徴とする請求項１または２記載の体重計。
【発明の詳細な説明】
【技術分野】
【０００１】
本発明は、体重を測定する体重計に関するものである。
【背景技術】
【０００２】
従来から、人間の体重を測定する体重計は広く知られている。例えば人間の体重を測定できる体重計を有する健康管理指針アドバイス装置が提案されている。この健康管理指針アドバイス装置における体重計は、設置面に沿って扁平なほぼ直方体形状をなす踏み台（トップカバー）を有するはかり本体と、はかり本体の下方側に、体重センサーを備え、又、その体重センサーを、はかり本体（踏み台）の左後部、右後部、左前部、及び右前部夫々の下方側の４箇所に配置するとともに、左後部のものと左前部のものとを、右後部のものと右前部のものとを、夫々、踏み台の左右中央線からの距離がほぼ同じになるようにし、そして、測定者がはかり本体の踏み台に載って、踏み台に荷重（体重）がかかると、体重センサーがその荷重を検出することにより体重を測定できるようにしたものである（特許文献１、図１２参照）。
【特許文献１】特開２００３−２２００４８号公報
【発明の開示】
【発明が解決しようとする課題】
【０００３】
しかしながら、上記のように体重センサーを、左後部のものと左前部のものとを、右後部のものと右前部のものとを、夫々、前記左右中央線からの距離がほぼ同じになるように配置したのでは、次のような問題点がある。
【０００４】
即ち、一般的な人の足の先部（足のほぼ土踏まずの部分よりも先の部分）の幅は、足の後部の踵部の幅よりも広い。そのため、例えば左足及び右足の各踵部を左後部、右後部夫々の体重センサーの位置のほぼ上方位置に合せるとともに、左右の足の先部同士の距離と踵部同士の距離とがほぼ同じ程度になるように左右の足を前後方向に揃えて踏み台に載ると、左足の先部の中心部が左前部の体重センサーの位置よりも所定距離だけ左側にずれ、右足の先部の中心部が右前部の体重センサーの位置よりも所定距離だけ右側にずれてしまう。その結果、左右の両足からかかる荷重を、体重センサーで直接的に受け難く、体重センサーで正確に荷重を検出し難い場合が多くなる。
【０００５】
又、通常直立姿勢を採る場合に、左右の足の先部同士の距離を、踵部同士の距離よりも大きくする人が多く、このような人にとって、左右の足の先部同士の距離と、踵部同士の距離とを同程度にして両足を揃えて踏み台に載せるのは、意識して無理矢理にそのようにしなければならず、不便なものである。その一方、そのような人が測定に際して通常の直立姿勢を採るように自由に踏み台に載ると左右の足の夫々の先部の中心部が更に体重センサーの位置からずれてしまう可能性が大きくなってしまう。
【０００６】
本発明は、足の踵部および足の先部の中心部で体重センサーによる荷重の検出を行い易く、正確に荷重を検出し易い体重計の提供を目的とする。
【課題を解決するための手段】
【０００７】
前記課題を解決するために、本発明の請求項１は、床面等の設置面に設置された状態で、はかり本体に設けられた踏み台に測定者が載ることにより、前記はかり本体から下方側に突出した複数の脚部夫々に設けられた体重センサーがその踏み台にかかる荷重を検出して測定者の体重を測定する体重計であって、前記脚部は、前記踏み台の左後部の下方側に配置された第１の脚部と、前記踏み台の右後部の下方側に設置された第２の脚部と、前記
踏み台の左前部の下方側に配置された第３の脚部と、前記踏み台の右前部の下方側に設置された第４の脚部とを備え、これらの脚部は、夫々、前記体重センサーの下方側に、前記設置面に当接する設置面当接部を備え、前記第１の脚部の設置面当接部は、前記踏み台の左右中央線からの距離が、前記第３の脚部の設置面当接部の前記左右中央線からの距離よりも短くなるように構成され、前記第２の脚部の設置面当接部は、前記左右中央線からの距離が、前記第４の脚部の設置面当接部の前記左右中央線からの距離よりも短くなるように構成され、前記踏み台の上面には、第１の脚部の設置面当接部のほぼ上方位置に、測定者の左足の踵部を載せる位置が明示された左足踵載置用明示部と、第２の脚部の設置面当接部のほぼ上方位置に、測定者の右足の踵部を載せる位置が明示された右足踵載置用明示部とが、夫々、設けられ、前記踏み台の上面における前部側の略左右中央部には、前記踏み台の上面から上方に突出し足の先部が載せられるのを防止する足先載置防止部が設けられ、前記足先載置防止部は、その後端側の左右方向の幅が、前記左足踵載置用明示部と前記右足踵載置用明示部との互いの距離と略同じに形成されているとともに、その後端から前方に行くに従って漸次大きくなるように構成されていることを特徴とする体重計を提供する。
【０００８】
請求項２のように、前記左足踵載置用明示部と右足踵載置用明示部とは、前記踏み台の上面から凹まされたものであり、前記踏み台の上面における前部側の略左右中央部には、前記踏み台の上面から上方に突出し足の先部が載せられるのを防止する足先載置防止部が設けられ、前記第３の設置面当接部は、前記足先載置防止部の左側に、前記第４の設置面当接部は、前記足先載置防止部の右側に、夫々、配置されていることが好ましい。
【０００９】
請求項３のように、前記第１〜第４の脚部は、夫々、前記体重センサーを下方側から受ける受部を有するセンサ受部材を、更に備え、前記設置面当接部は、前記センサ受部材の下面側に設けられていることが好ましい。
【発明の効果】
【００１０】
本願の請求項１によれば、第１の脚部の設置面当接部は、踏み台の左右中央線からの距離が、第３の脚部の設置面当接部の前記左右中央線からの距離よりも短くなるように構成され、前記第２の脚部の設置面当接部は、前記左右中央線からの距離が、前記第４の設置面当接部の前記左右中央線からの距離よりも短くなるように構成されているため、踏み台に載った測定者の左右の足の踵部夫々を、第１の設置面当接部、第２の設置面当接部夫々のほぼ上方位置に配置できるとともに、踵部よりも幅の広い足の先部の中心部夫々を、第３の設置面当接部、第４の設置面当接部夫々のほぼ上方位置に配置し易いものにできる。
【００１１】
従って、足の載せない中央部は、剛性がほとんど必要でないため、リブや剛体を減らすことができ、その部分に制御部材や電池を収納するスペースを確保でき、全体を薄型にできる。
【００１２】
又、踏み台の大きさを必要最小限にでき、軽量コンパクトにすることも可能になる。また、通常の直立姿勢を採る場合に、左右の足の先部同士の距離を、踵部同士の距離よりも大きくする人でも、上記のような通常の直立姿勢を採るようにして踏み台に載れば良く、そのような人にとっては通常の楽な姿勢で体重を測定でき、使用し易いものにできる。
また、足先載置防止部は、後端側の幅が、前記左足踵載置用明示部と右足踵載置用明示部との互いの距離とほぼ同じで、その後端から前方に行くに従って漸次幅広になるように構成されているため、測定者は、左右の足の先部同士の距離を、踵部同士の距離よりも大きくして踏み台に載るようになる。これにより、左右の足の踵部の中心部を夫々、第１の設置面当接部、第２の設置面当接部のほぼ上方位置に配置できるとともに、左右の足の先部の中心部を夫々、第３の設置面当接部、第４の設置面当接部のほぼ上方位置に配置するように仕向けることができる。これにより、第３の設置面当接部と左足の先部の中心部とを、第４の設置面当接部と右足の先部の中心部とを、夫々、より位置合わせし易いものにできる。
【００１３】
本願の請求項２によれば、左足踵載置用明示部と右足踵載置用明示部とは、踏み台の上面から凹まされているため、測定者は、左足踵載置用明示部又は右足踵載置用明示部に踵部の一部しか入っていないような場合には、違和感等を感じる。その結果、測定者は、自然と左足踵載置用明示部及び右足踵載置用明示部に踵部を入れるようになり、測定者に、左足踵載置用明示部及び右足踵載置用明示部に踵部を入れるよう、仕向けることができる。これにより、左足踵載置用明示部、右足踵載置用明示部夫々のほぼ下方側に配置した第１の設置面当接部、第２の設置面当接部夫々と踵部とを位置合わせしてもらい易いものにできる。
【００１４】
又、踏み台の上面における上記第３の設置面当接部と第４の設置面当接部との間の上方側に、踏み台の上面から上方に突出する足先載置防止部が設けられているため、足先載置防止部に足が載ると測定者は違和感等を感じる。その結果、測定者は足の先部が足先載置防止部に載るのを避け、測定者に、足の先部を足先載置防止部の左右の側方側に載せるように仕向けることができる。これにより、足先載置防止部の左側に配置した第３の設置面当接部と左足の先部の中心部とを、足先載置防止部の右側に配置した第４の設置面当接部と右足の先部の中心部とを、夫々、位置合わせし易いものにできる。
【発明を実施するための最良の形態】
【００１６】
以下、図面を参照して本発明を具体的に説明する。図１は、本発明の一実施の形態の体組成体重計の平面図、図２は、その右側面図、図３は、底面図、図４は、斜め下方側からみた斜視図である。
【００１７】
この実施形態の体重計は、体重を測定できるとともに、体脂肪率等の体組成を測定できる体組成体重計１として実施されている。この体組成体重計１は、はかり本体２と、はかり本体２の下方側に突設された脚部３１〜３４と、傾き抑制部４１〜４４と、操作部５とを備えている。
【００１８】
はかり本体２は、体重等を測定する測定者が載る踏み台２１を備えている。この実施形態の踏み台２１は、左端側と右端側との夫々の外周が円弧状に形成され、全体の形状が略円形状を呈するものから構成されている。この踏み台２１の上面には、左足踵載置用明示部２２ａと、右足踵載置用明示部２２ｂとが設けられている。
【００１９】
左足踵載置用明示部２２ａは、測定者の左足の踵部を載せる位置を明示したもので、踏み台２１の上面における左後部に配置されている。又、右足踵載置用明示部２２ｂは、測定者の右足の踵部を載せる位置を明示したもので、踏み台２１の上面における左後部に、左足踵載置用明示部２２ａと左右対称になるように配置されている。
【００２０】
又、この実施形態では、これらの左足踵載置用明示部２２ａと右足踵載置用明示部２２ｂとは、図２、図７に示すように、上面から所定の深さで下方にほぼ円形状に凹まされるようにして形成することにより、測定者が上記のものとわかるように明示している。
【００２１】
また、この左足踵載置用明示部２２ａと右足踵載置用明示部２２ｂとには、夫々、それらに載置される踵部と接触し得るように測定電極２４が取付けられている。これらの測定電極２４は、体組成を測定する際に後述の印加電極２７と共に用いるもので、その印加電極２７に印加した電流により生じる抵抗電位を検出する。
【００２２】
又、踏み台２１の上面における前部側の左右中央部には、足先載置防止部２５が設けられている。この足先載置防止部２５は、測定者の左足先部及び右足先部を載せないようにして左足先部の中心部及び右足先部の中心部が夫々、後述の第３の脚部３３、第４の脚部３４夫々の上方位置に近づけるように仕向けるためのもので、この実施形態では、足先載置防止部２５は、踏み台２１の上面から上方に突設されることによって測定者が左足先部あるいは右足先部を載せた場合に違和感等を持たせるようにし、これにより、測定者に、左足先部を足先載置防止部２５よりも左側に、右足先部を足先載置防止部２５よりも右側に、夫々配置させるように仕向けている。
【００２３】
また、足先載置防止部２５の左右方向の幅は、この実施形態では、後端側で最も狭い最小幅Ｖとなり、前方側に行くに従って漸次広くなるように構成されている。又、上記最小幅Ｖは、左足踵載置用明示部２２ａと右足踵載置用明示部２２ｂとの互いの距離Ｌ１と同程度とされている。
【００２４】
また、踏み台２１の上面における足先載置防止部２５の左右の両側には、夫々、印加電極２７が左右一対をなすように取付けられている。これらの印加電極２７は、測定者の左足先部、右足先部夫々と接触される。そして、その接触された左足先部、右足先部にこれらの印加電極２７から電流が印加されるようになっている。
【００２５】
そして、以上のように構成された踏み台２１は、図２に示すように、踏み台２１とほぼ同じ外周形状のベース板部材２６の上方側に、上方側から覆い被せるようにして固定的に取り付けられている。
【００２６】
又、はかり本体２は、上記踏み台２１と上記ベース板部材２６との間に、図示しないが、Ａ／Ｄ変換器等のはかり機構部が収納されている。
【００２７】
次に、脚部３１〜３４について説明する。脚部３１〜３４は、この実施形態では、図３、図４に示すようにベース板部材２６の左後部（この図３、図４では、右後部側に現れている）に配置された第１の脚部３１と、右後部に配置された第２の脚部３２と、左前部に配置された第３の脚部３３と、右前部に配置された第４の脚部３４との４つから構成されている。又、これらの脚部３１〜３４は、この実施形態では、はかり本体２と別体の合成樹脂から構成されている。
【００２８】
第１の脚部３１は、図３〜図６に示すように、筒体６と、体重センサ３５（図５、図６に図示）と、センサ受部材７（図６では、筒体６と体重センサ３５とだけ図示し、センサ受部材７を省略している）とを備えている。
【００２９】
筒体６は、上端側（図６では、下端側に表れている）がはかり本体２のベース板部材２６の下面に固定的（移動不能に）に取り付けられ、下端側（図６では、上端側）がはかり本体２のベース板部材２６の下方側に所定長さで突出されている。また、筒体６は、外周壁６１と、内周壁６２とを備えている。又、図３に示すように、筒体６には、これらの外周壁６１と内周壁６２とを、ベース板部材２６（踏み台２１）の外周の円弧の中心Ｏを中心にした円弧状に、図３、図４の反時計方向側（図１の時計方向側）に所定長さで延設することにより形成した筒体延設部６３が設けられている。
【００３０】
また、これらの外周壁６１の内面及び内周壁６２の内面には、夫々、係止突起６４が設けられている（図６では、内周壁６２のもののみ現れている）。これらの係止突起６４は、センサ受部材７を係止する係止部材としてのもので、互いに対向する位置に、筒体６の内側に突出するように設けられている。
【００３１】
体重センサ３５は、はかり本体２の踏み台２１にかかる荷重（体重）を検出するためのもので、この実施形態では、歪ゲージを有するロードセルから構成されている。そして、この体重センサ３５は、筒体６内における上記踏み台２１の左足踵載置用明示部２２ａのほぼ下方位置に、主に左足踵載置用明示部２２ａにかかる荷重を受けうるように配置されている。
【００３２】
センサ受部材７は、図４、図５に示すように受部本体７０と、受部本体７０から上方に突出された外周壁７３及び内周壁７４とを備えている。受部本体７０は、図５に示すように、上面側に、体重センサ３５を下方側から受ける受部７１を備えている。また、センサ受部材７の下面側には、設置面当接部７２が設けられている。
【００３３】
この設置面当接部７２は、この体組成体重計１を設置する床面等の設置面１００に当接する部分で、この実施形態では、受部本体７０と別体の合成ゴム製の円形状の薄板状部材７７の下面に形成されている。
【００３４】
そして、この薄板状部材７７の上面側が、受部本体７０の下面における受部７１の下方位置に接着剤等の接着手段によって接着されることによって、設置面当接部７２が受部本体７０の下面における受部７１の下方位置に設けられたものとされている。又、設置面当接部７２は、受部本体７０の下面より下方に突出するように形成されている。
【００３５】
また、センサ受部材７には、センサ受部材延設部７６が設けられている。このセンサ受部材延設部７６は、図３、図４に示すように、受部本体７０、外周壁７３及び内周壁７４を、筒体６の外周壁６１と内周壁６２との夫々とほぼ同じ形状の円弧状に、図３の反時計方向側（図１の時計方向側）に延設することにより形成されている。
【００３６】
また、図５に示すように、これらの外周壁７３と内周壁７４には、夫々、筒体６の係止突起６４を受容する受容孔７５が穿設されている。
【００３７】
この受容孔７５の上下の高さは、筒体６の係止突起６４の上下の高さよりも高く、係止突起６４が受容孔７５に入り込んだ状態で受容孔７５内を上下方向に移動可能とされている。
【００３８】
そして、このように構成されたセンサ受部材７は、筒体６の係止突起６４を受容孔７５に受容した状態で、筒体６内に、筒体６の下面側を塞ぐように嵌め入れられているとともに、受部７１で体重センサ３５を下方側から受けている。これにより、センサ受部材７は、筒体６に上下移動可能に係止されている。
【００３９】
又、筒体６内に入れられたセンサ受部材７は、付勢部材としてのコイルバネ８に下方側に付勢されている。詳しくは、コイルバネ８の上部側は、筒体６の筒体延設部６３内に設けられた円筒状のバネ収納部６３ａに収納されているとともに、コイルバネ８の上端がバネ収納部６３ａの奥端面に当接している。
【００４０】
コイルバネ８の下部側は、センサ受部材７が筒体６内に入れられる際に、センサ受部材７のセンサ受部材延設部７６内に設けられた円筒状のバネ収納部７６ａに収納されるとともに、コイルバネ８の下端がそのバネ収納部７６ａの奥端面に当接する。これにより、センサ受部材７は、コイルバネ８によって常時、はかり本体２及び筒体６と退行する方向の下方向に付勢されている。又、その付勢により、筒体６の係止突起６４の上端が受容孔７５の上内壁面７５ａに当接した状態になっている。
【００４１】
このようにして筒体６に係止されたセンサ受部材７の設置面当接部７２は、はかり本体２の踏み台２１の左足踵載置用明示部２２ａのほぼ下方位置に配置されている。
【００４２】
第２の脚部３２は、図３に示すように踏み台２１の左右中央線Ｐ１を対称軸に第１の脚部３１と左右対称になるように配置されており、この第２の脚部３２の設置面当接部７２から上記左右中央線Ｐ１までの距離Ｌ２と、上記第１の脚部３１の設置面当接部７２から上記左右中央線Ｐ１までの距離Ｌ３とがほぼ同じになるように設定されている。
【００４３】
又、第２の脚部３２の設置面当接部７２は、図示しないが、はかり本体２の踏み台２１の右足踵載置用明示部２２ｂのほぼ下方位置に配置されている。第２の脚部３２のその他は、上記第１の脚部３１と同構成を採っている。
【００４４】
第３の脚部３３の体重センサ３５及び設置面当接部７２は、上記踏み台２１の足先載置防止部２５の左側（図３では右側）の下方に配置されている。又、図３に示すように、この第３の脚部３３の設置面当接部７２の踏み台２１の左右中央線Ｐ１までの距離Ｌ５は、上記第１の脚部３１の設置面当接部７２の上記距離Ｌ３よりも長くなるように構成されている。
【００４５】
又、第３の脚部３３の筒体６の筒体延設部６３及びセンサ受部材７のセンサ受部材延設部７６は、踏み台２１の前後中央線Ｐ２の位置まで、図３の時計方向（図１の反時計方向）に延設されている。その他は、上記第１の脚部３１と同構成を採っている。
【００４６】
第４の脚部３４は、踏み台２１の左右中央線Ｐ１を対称軸に第３の脚部３３と左右対称になるように配置されており、この第４の脚部３４の設置面当接部７２から上記左右中央線Ｐ１までの距離Ｌ４は、上記第２の脚部３２の設置面当接部７２の上記距離Ｌ２よりも長くなるように設定されている。第４の脚部３４のその他は、上記第３の脚部３３と同構成を採っている。
【００４７】
次に、傾き抑制部４１〜４４について説明する。この傾き抑制部４１〜４４は、はかり本体２の踏み台２１の外周側に測定者が載った際に設置面１００（図５に図示）に対する踏み台２１の傾きを抑制するためのものである。
【００４８】
この実施形態の傾き抑制部は、図３、図４に示すように、上述の第１の脚部３１の筒体６の筒体延設部６３及びセンサ受部材７のセンサ受部材延設部７６から構成された第１の傾き抑制部４１と、上記第２の脚部３２の筒体６の筒体延設部６３及びセンサ受部材７のセンサ受部材延設部７６から構成された第２の傾き抑制部４２と、上記第３の脚部３３の筒体６の筒体延設部６３及びセンサ受部材７のセンサ受部材延設部７６から構成された第３の傾き抑制部４３と、上記第４の脚部３４の筒体６の筒体延設部６３及びセンサ受部材７のセンサ受部材延設部７６から構成された第４の傾き抑制部４４との４つから構成されている。
【００４９】
このようにして構成された傾き抑制部４１〜４４は、図５に示すように、この体組成体重計１が設置面１００に各設置面当接部７２を当接させるようにして設置した状態で設置面当接部７２よりも高い位置に配置され、設置面１００と非接触な状態になる。
【００５０】
又、図３に示すように、第１の傾き抑制部４１及び第３の傾き抑制部４３は、踏み台２１における第１の脚部３１とこれに隣接する第３の脚部３３の夫々の設置面当接部７２同士を結ぶ線Ｑ１から外周側に突出し、足を載せ得る程度の大きさではみ出したはみ出し部２１ａの下方位置に配置されている。また、第２の傾き抑制部４２及び第４の傾き抑制部４４は、踏み台２１における第２の脚部３２とこれに隣接する第４の脚部３４の夫々の設置面当接部７２同士を結ぶ線Ｑ２よりも踏み台２１の外周側に突出し、足を載せ得る程度の大きさではみ出したはみ出し部２１ａの下方位置に配置されている。
【００５１】
また、第３の傾き抑制部４３及び第４の傾き抑制部４４の後端部は、踏み台２１の前後中央の下方位置に配置されている。
【００５２】
図１に戻って、操作部５について説明する。この実施形態の操作部５は、前面側に表示部５１を備え、この表示部５１に、例えば測定した体重や体組成を数値表示する。又、表示部５１の左右の両側には、複数の操作ボタン５２が設けられており、操作ボタン５２を押圧操作することによって、例えば体組成を測定等する場合の年齢、身長、性別等の情報の入力、あるいは、表示部５１に表示する数値データの選択等を行うことができる。
【００５３】
又、この実施形態の操作部５は、はかり本体２と有線または無線によって通信可能に接続されているとともに（この実施形態では、図示しないが有線により接続されている）、はかり本体２と着脱自在とされており、操作部５をはかり本体２から外して身体の上部側の体組成を測定できるようになっている。詳しくは、操作部５の左右の両端には、手で握る握り部５３が設けられているとともに、これらの握り部５３には、夫々、測定電極５４及び印加電極５５（図４に図示）が設けられている。
【００５４】
尚、この実施形態では、測定電極５４及び印加電極５５は、操作部５の左右の握り部５３の夫々に設けているが、左右のいずれか一方に設けるようにしても良く、適宜変更できる。
【００５５】
また、操作部５の内部には、図示しないが、記憶装置であり本システムのプログラム等を記録したメモリ、メモリに記録されたプログラム等を実行する制御装置であるＣＰＵ等が備えられている。
【００５６】
以上のように構成された体組成体重計１によって、例えば体重を計る場合は、設置面としての床面１００に体組成体重計１の各設置面当接部７２を当接させるようにして設置するとともに、電源を入れ、操作部５の操作ボタン５２を操作して表示部５１に体重測定値を表示可能状態にする。
【００５７】
そして、その状態で、例えばはかり本体２の踏み台２１の左足踵載置用明示部２２ａに左足の踵部を載せるとともに、右足の踵部を右足踵載置用明示部２２ｂに載せる。
【００５８】
又、その際、測定者は、左足先部を、足先載置防止部２５に載らないように左足踵載置用明示部２２ａよりも左側になるようにして載せるとともに、右足先部を、足先載置防止部２５に載らないように右足踵載置用明示部２２ｂよりも右側になるようにして載せる。
【００５９】
これにより、踵部夫々を、第１の脚部３１、第２の脚部３２夫々の体重センサ３５及び設置面当接部７２の略上方位置に位置合わせさせて配置できる。又、第３の脚部３３の体重センサ３５及び設置面当接部７２のほぼ上方位置に左足先部の中心部を、第４の脚部３４の体重センサ３５及び設置面当接部７２のほぼ上方位置に右足先部の中心部を、夫々、位置合わせさせるようにして配置させることができる。
【００６０】
そして、踏み台２１にかかる荷重は脚部３１〜３４の各体重センサ３５によって検出され、操作部５が各体重センサ３５で検出されたデータに基づいて演算等して表示部５１に体重測定値として表示する。
【００６１】
その際、第１の脚部３１〜第４の脚部３４夫々の体重センサ３５及び設置面当接部７２は、測定者の体重がかかる部分のほぼ下方位置に配置されるため、踏み台２１等が荷重により不要にたわむことなく体重センサ３５に垂直に力を伝達でき、測定者の体重を極力直接的に検出でき、正確なものにできる。
【００６２】
又、上記踏み台２１に載る際、例えば測定者が左足を、踏み台２１の左外周側のはみ出し部２１ａに載せた場合には、第１の傾き抑制部４１及び第３の傾き抑制部４３が床面１００に当接するため、踏み台２１がほとんど床面１００に対して傾くことがなく、安全なものにできる。
【００６３】
同様に、測定者が右足を、踏み台２１の右外周側のはみ出し部２１ａに載せた場合には、第２の傾き抑制部４２及び第４の傾き抑制部４４が床面１００に当接するため、踏み台２１がほとんど床面１００に対して傾くことがなく、安全なものにできる。
【００６４】
また、測定者の脚の体組成を測定する場合は、例えば操作部５の操作ボタン５２を操作することによって、表示部５１に体組成測定値を表示可能状態に設定するとともに、電流を、踏み台２１に設けた印加電極２７から印加可能状態に設定する。この状態で、上記の体重測定の場合と同様に測定者が踏み台２１に載れば良い。
【００６５】
これにより、印加した電流により生じる抵抗電位が測定電極２４で検出される。そして、操作部５が、検出されたインピーダンス、体重測定値、予め操作部５に入力された測定者の身長、年齢、性別等の情報等に基づいて、測定者の脚の体脂肪率や体脂肪量等の体組成を算出し、表示部５１に表示する。
【００６６】
又、測定者の身体の上部の体組成を測定する場合は、例えば操作部５の操作ボタン５２を操作することによって操作部５に設けた印加電極５５に電流を印加可能状態に設定する。そして、操作部５をはかり本体２から外し、左右両側の握り部５３夫々を左手、右手夫々で握って測定電極５４と印加電極５５とに手を接触させるとともに、腕を伸ばした状態する。
【００６７】
これにより、同様に、測定電極５４でインピーダンスを検出し、操作部５が、インピーダンスと体重測定値と予め操作部５に入力された測定者の身長等の情報等に基づいて、測定者の身体の上部の体脂肪率や体脂肪量等の体組成を算出し、表示部５１に表示する。
【００６８】
尚、上記実施形態では、左足踵載置用明示部２２ａ及び右足踵載置用明示部２２ｂを上面から凹ませることにより明示しているが、この形態のものに限らず、適宜変更できる。例えば左足踵載置用明示部２２ａ及び右足踵載置用明示部２２ｂを、踏み台２１の上面に描くようにして明示するようにしても良い。
【００６９】
又、上記実施形態では、足先載置防止部２５を設けているが、設けないものであっても良い。又、足先載置防止部２５を設ける場合において、足先載置防止部２５の表面を、平滑面に形成しても良いが、凹凸面に形成しても良い。このような凹凸面に形成することにより、測定者は、足先載置防止部２５に足が載ると、凹凸によって足先載置防止部２５に足が載ったことが即座に判り、この点で、凹凸状に形成しておくのが好ましい。
【００７０】
また、上記実施形態では、本発明の体重計として、体組成体重計から構成されているが、この形態のものに限らず、例えば体重だけを測定する専用の体重計から構成しても良く、適宜変更し得る。
【図面の簡単な説明】
【００７１】
【図１】本発明の一実施の形態の体組成体重計の正面図である。
【図２】図１の側面図である。
【図３】図１の底面図である。
【図４】体組成体重計を、斜め下方側からみた斜視図である。
【図５】脚部の拡大断面図である。
【図６】脚部のセンサー受部材を外した状態の拡大した斜視図である。
【図７】図１のＶＩＩ−ＶＩＩ線断面図である。
【符号の説明】
【００７２】
１    体組成体重計（体重計）
２    はかり本体
５    操作部
６    筒体
７    センサ受部材
３１    第１の脚部
３２    第２の脚部
３３    第３の脚部
３４    第４の脚部
４１    第１の傾き抑制部
４２    第２の傾き抑制部
４３    第３の傾き抑制部
４４    第４の傾き抑制部
７２    設置面当接部
【図１】
0004438843.tif 000002
【図２】
0004438843.tif 000003
【図３】
0004438843.tif 000004
【図４】
0004438843.tif 000005
【図５】
0004438843.tif 000006
【図６】
0004438843.tif 000007
【図７】
0004438843.tif 000008